(57)【要約】【課題】  電話網を用いて送信された情報を出力する情報出力装置及び電話機を提供する。【解決手段】  電話機本体は、情報出力装置を介して送受話器と接続される。情報出力装置は、電話機本体からのスピーカ信号が入力され、入力されたスピーカ信号を送受話器に出力する。さらに、情報出力装置は、スピーカ信号からＤＴＭＦ信号を抽出する。抽出されたＤＴＭＦ信号を構成する周波数の組合せにより、当該ＤＴＭＦ信号の示す数字又は記号に変換し、表示する。【選択図】  図１
2006074221.tif 000002
【特許請求の範囲】
【請求項１】
ＤＴＭＦ信号を含むスピーカ信号を受信又は送信する電話機本体と、送受話器とを接続する情報出力装置であって、
前記情報出力装置は、
前記電話機本体からのスピーカ信号が入力される第１の接続手段と、
前記スピーカ信号を前記送受話器に出力する第２の接続手段と、
前記スピーカ信号からＤＴＭＦ信号を抽出するＤＴＭＦ信号抽出手段と、
前記抽出されたＤＴＭＦ信号を構成する周波数の組合せにより、前記ＤＴＭＦ信号の示す数字又は記号に変換する変換手段と、
前記変換した数字又は記号を表示する表示手段と
を備えることを特徴とする情報出力装置。
【請求項２】
請求項１記載の情報出力装置であって、
電話機の種類に応じて、スピーカ信号が伝送される複数の信号線のうち、前記ＤＴＭＦ信号抽出手段に接続するいくつかの信号線を切替える切替え手段をさらに備えることを特徴とする情報出力装置。
【請求項３】
ＤＴＭＦ信号を含むスピーカ信号を受信又は送信する電話機であって、
送受話器と、
前記スピーカ信号を前記送受話器に出力する接続手段と、
前記送受話器に出力されるスピーカ信号からＤＴＭＦ信号を抽出するＤＴＭＦ信号抽出手段と、
前記抽出されたＤＴＭＦ信号を構成する周波数の組合せにより、当該ＤＴＭＦ信号の示す数字又は記号に変換する変換手段と、
前記変換した数字又は記号を表示する表示手段と
を備えることを特徴とする電話機。
【発明の詳細な説明】
【技術分野】
【０００１】
本発明は、電話網を用いて送信された情報を出力する情報出力装置及び電話機に関するものである。
【背景技術】
【０００２】
アンケートや通信販売の注文、遠隔地や夜間の問診等に電話を用いる場合がある。そのような場合、アンケートの回答者や通信販売の顧客、患者等は、オペレータや医師等からアンケートの設問や購入する商品の注文番号、会員番号、健康状態等の質問を受け、それに対し回答する。この質問の際、例えば、回答者の音声が小さい、回答者の発音等の理由により、音声での回答が聞き取りづらい場合がある。そのような場合、オペレータや医師等の質問者は、アンケートや注文、問診を確実にすべく、回答者に対し聞き返すため、同じことを何度か回答者に回答させることになる。
【０００３】
このような課題を解決すべく、電話網を用いて送信された情報を出力する技術がある。
【０００４】
特許文献１には、電話機能を備えた通信端末において、受信した音声信号をテキストに変換して出力し、さらに、文字列を音声合成して音声信号として出力することが記載されている。
【０００５】
特許文献２には、相手の電話機等から送信された通話信号にＤＴＭＦ信号（Dial Tone Multi Frequency）が重畳している場合、接続を切替えてＤＴＭＦ信号の示す情報のみを表示部等に出力することが記載されている。
【０００６】
また、例えば、荷物の宅配において、荷物の再配送を要求する場合に、電話機で受付センター等に電話をかけ、音声ガイダンスに従ってプッシュボタンを押下等し、荷物を識別する識別番号や再配達の日時等を通知する技術がある。
【０００７】
【特許文献１】特開２００３−２６４６４３
【特許文献２】特開２０００−２０１２３３
【発明の開示】
【発明が解決しようとする課題】
【０００８】
特許文献１の技術は、回答者の音声が小さい場合や、発音等により、回答者が言ったとおりにテキストに変換されない可能性がある。
【０００９】
特許文献２の技術は、ＤＴＭＦ信号が音声信号と重畳されている場合、音声信号を受話器等のスピーカに出力しない。
【００１０】
荷物の再配送受付の技術では、宅配業者は、再配達の内容をその場で聞きながら確認することができず、音声ガイダンスによる再配達の受付が終わった後、コンピュータ等を用いて確認する必要がある。また、利用者が何のプッシュボタンを押下したか確認するためには、ある程度プッシュボタンを押下した後に、音声合成等による内容確認のための音声を聞かなければならない。
【００１１】
このように、特許文献１の技術では、電話網を介して送信された情報が、確実に相手に伝わらないことがある。また、特許文献２や荷物の再配送受付の技術では、電話網を介して送信された情報が出力されたのを視覚的に確認しながら会話することができない。
【００１２】
本発明はこのような事情に鑑みてなされたもので、電話網を介して送信された情報が出力されたのを視覚的に確認しながら会話することのできる情報出力装置及び電話機を提供することを目的とする。
【課題を解決するための手段】
【００１３】
本発明は上記の目的を達成するためになされたもので、電話網を介して送信されたスピーカ信号に含まれるＤＴＭＦ信号により示される情報を表示するものである。具体的には、例えば、ＤＴＭＦ信号を含むスピーカ信号を受信又は送信する電話機本体と、送受話器とを接続する情報出力装置であって、前記情報出力装置は、前記電話機本体からのスピーカ信号が入力される第１の接続手段と、前記スピーカ信号を前記送受話器に出力する第２の接続手段と、前記スピーカ信号からＤＴＭＦ信号を抽出するＤＴＭＦ信号抽出手段と、前記抽出されたＤＴＭＦ信号を構成する周波数の組合せにより、前記ＤＴＭＦ信号の示す数字又は記号に変換する変換手段と、前記変換した数字又は記号を表示する表示手段とを備えることを特徴とする。
【発明の効果】
【００１４】
本発明によれば、音声を出力しつつ、ＤＴＭＦ信号の示す情報を出力することができる。
【発明を実施するための最良の形態】
【００１５】
以下、本発明の一実施形態を、図面を参照して詳細に説明する。なお、ここでは、電話回線網を介して送受信され、送受話器に音として出力される信号をスピーカ信号として説明する。
【００１６】
図２は、本実施形態の情報出力装置を用いた電話機の構成例を示す図である。図２において、電話機本体１と送受話器３とは、情報出力装置２を介して接続される。電話回線網（図示略）を介して送信されたスピーカ信号は電話機本体１に入力される。スピーカ信号は情報出力装置２を介して送受話器３に入力され、音として出力される。
【００１７】
電話機本体１及び送受話器３は、電話回線網を用いた通話に用いられる公知のものである。電話機本体１は、例えば、回線を接続及び切断するフック、プッシュボタン、呼び出し音を出力するためのスピーカ回路、電源等を備える。送受話器３は、例えば、スピーカ信号を音に変換する変換部、音を出力するスピーカ回路、マイクロフォン等を備える。
【００１８】
図１は、情報出力装置２の構成例を示す。図１において、情報出力装置２は、電話機本体接続部２０、信号線２１、送受話器接続部２２、切替え部２３、ＤＴＭＦ信号抽出部２４、変換部２５、記憶部２６、制御部２７、表示部２８、クリアスイッチ２９等を備える。
【００１９】
電話機本体接続部２０と送受話器接続部２２とは、信号線２１により接続される。電話機本体接続部２０には、電話機本体１から出力されたスピーカ信号が入力される。当該スピーカ信号は、信号線２１を経由して送受話器接続部２２から送受話器３に入力される。また、送受話器３のマイクロフォン等により集音された音の信号であるマイクロフォン信号は、送受話器３から送受話器接続部２２へ入力される。当該マイクロフォン信号は、信号線２１を経由して、電話機本体接続部２０から電話機本体１へと出力される。
【００２０】
電話機本体接続部２０と送受話器接続部２２とは、例えばモジュラージャックにより実現される。
【００２１】
このように、電話機本体接続部２０から入力されたスピーカ信号が、信号線２１を経由して、送受話器接続部２２から送受話器３に入力されることにより、情報出力装置２の他の構成が故障等により使用できない状態でも、スピーカ信号は通常通り送受話器３に出力することができる。
【００２２】
また、送受話器接続部２２から入力されたマイクロフォン信号が、信号線２１を経由して、電話機本体接続部２０から電話機本体１に入力されることにより、情報出力装置２の他の構成が故障等により使用できない状態でも、マイクロフォン信号は通常通り電話機本体１に出力することができる。
【００２３】
電話機本体接続部２０に入力されたスピーカ信号は、切替え部２３にも入力される。切替え部２３は、通話に用いる電話機の種類に応じて、スピーカ信号に使用される複数の信号線のうちのいくつかを選択し、接続を切替えるものである。
【００２４】
切替え部２３の一例を説明する。電話機の種類の例として、図６の符号１０１に一例を示すような送受話器を用いる電話機と、符号１０２に一例を示すような送受話器を用いる電話機とがある。以下、符号１０１に一例を示す種類をハンドセット型電話機、符号１０２に一例を示す種類をヘッドセット型電話機という。
【００２５】
例えば、電話機本体と送受話器との接続に４ピンのモジュラーが使用される場合、ハンドセット型電話機とヘッドセット型電話機とでは、スピーカ信号に使用されているピンが異なる。図３に、４ピンのモジュラーのピン配列の一例を示す。図３において、４つのピンをＬ１、Ｌ２、Ｌ３、Ｌ４とすると、スピーカ信号用として、ハンドセット型電話機はＬ１及びＬ３、ヘッドセット型電話機はＬ２及びＬ４を使用している。
【００２６】
情報出力装置２には、電話機の種類を指定するボタン等の種類指示部（図示略）が備えられており、利用者は、種類指示部を用いて電話機の種類を指定する。切替え部２３は、種類指示部により指定された電話機の種類に応じて、ピン接続を切替える。具体的には、ハンドセット型電話機が指定された場合にはＬ１及びＬ３に接続し、ヘッドセット型電話機が指定された場合にはＬ２及びＬ４に接続する。これにより、種類の異なる電話機に対応することが可能となる。
【００２７】
図１において、ＤＴＭＦ信号抽出部２４は、切替え部２３から入力されるスピーカ信号からＤＴＭＦ信号を抽出する。
【００２８】
ＤＴＭＦ信号は、複数の周波数の音を組み合わせており、当該周波数の組み合わせでダイヤル番号を示している。ダイヤル番号とは、例えば、０〜９の数字、「＊」や「＃」等の記号である。ＤＴＭＦ信号抽出部２４は、例えば、ＤＴＭＦ信号を構成する周波数帯を抽出する複数のフィルタ等により実現される。
【００２９】
変換部２５は、ＤＴＭＦ信号を構成する周波数の組み合わせにより、当該ＤＴＭＦ信号の示すダイヤル番号に変換する。具体的には、例えば、変換部２５は、記憶部（図示略）に、ダイヤル番号（数字及び記号）と、当該ダイヤル番号を示すＤＴＭＦ信号を構成する周波数の組み合わせとのテーブルを予め記憶しておく。ＤＴＭＦ信号抽出部２４によりＤＴＭＦ信号を構成する複数の周波数が抽出されると、変換部２５は、テーブルを参照し、抽出された周波数の組合せにより、当該ＤＴＭＦ信号の示すダイヤル番号に変換する。
【００３０】
記憶部２６は、変換部２５により変換されたダイヤル番号を示す情報を一時記憶する。記憶部２６は、例えばメモリ等により実現される。
【００３１】
制御部２７は、記憶部２６に格納されているダイヤル番号を示す情報を読み出し、表示部２８に出力する。また、後述するクリアスイッチ２９からのクリア要求情報を受信した場合、表示部２８に信号を出力し、既に表示されている情報をクリアさせ、更に、記憶部２６内に格納されているダイヤル番号を示す情報を消去する。制御部２７は、例えばＭＰＵ（Micro Processing Unit）等により実現される。
【００３２】
表示部２８は、例えば液晶表示モジュール等により実現される。
クリアスイッチ２９は、表示部２８に出力された情報のクリア指示を受け付けるものである。クリアスイッチ２９は、情報出力装置２の使用者により押下等されると、表示クリア指示されたことを示すクリア要求情報を制御部２７に出力する。
【００３３】
電話機本体１、情報出力装置２、送受話器３を用いて情報を表示する動作の一例を図４、図５を参照して説明する。図４は情報出力装置２の動作の一例を示し、図５は質問者と回答者との間で送受信される情報の一例を示す。
【００３４】
図４及び図５の例では、回答者をＡ、質問者をＢとし、回答者Ａは電話機本体１及び送受話器３、質問者Ｂは電話機本体１、情報出力装置２、送受話器３を用いて通話するものとする。ここでは、回答者Ａの電話機本体１及び送受話器３に符号ａを追加し、質問者Ｂの電話機本体１、情報出力装置２及び送受話器３に符号ｂを追加して説明する。
【００３５】
質問者Ｂは、予め、ボタン等の種類指示部を用いて、使用する電話機の種類を指定しておく。情報出力装置２ｂの切替え部２３は、指示に応じて、接続するピンを切替える。この電話機の種類の指定はいつでもよいが、回答者Ａに質問を行う前が望ましい。
【００３６】
情報出力装置２ｂは、電源がオンされると（図４におけるＳ１０）、スピーカ信号が入力されるまで待機する。
【００３７】
ここで、電源オン時の初期動作として、次のような処理を行ってもよい。例えば、情報出力装置２ｂの電源がオンされると、制御部２７等は、初期動作として内部チェックを行い、結果を表示部２８に表示させる。質問者Ｂがクリアスイッチ２９を押下すると、表示クリア指示されたことを示すクリア要求情報が制御部２７に出力される。制御部２７は内部チェックの結果が確認されたものと判定し、表示部２８に出力した情報をクリアし、スタンバイ状態となる。
【００３８】
回答者Ａの電話機本体１ａと質問者Ｂの電話機本体１ｂとの間で回線を接続する。回線接続を要求するのは回答者Ａ又は質問者Ｂどちらでもよいが、ここでは、質問者Ｂから回答者Ａに電話をかけて回線を接続するものとする（図５におけるＳ２０）。質問者Ｂは、電話機本体１ｂのプッシュボタンを押下する等により回答者Ａの電話機の電話番号を指定して回線接続を要求する。
【００３９】
回線が接続されると、質問者Ｂは、送受話器３ｂを用いて音声による質問を行う（図５におけるＳ２１）。回答者Ａの送受話器３ａには、電話回線網（図示略）を経由して、質問者Ｂの話した音声等が出力される。
【００４０】
回答者Ａは、質問に対する回答を行う。このとき回答者は、送受話器３ａを用いて音声で回答してもよいが、電話機本体１ａのプッシュボタンを押下して回答してもよい。ここでは、回答者Ａの名前の確認に対する回答を音声のみで回答したものとする。
【００４１】
質問に対する回答を示すスピーカ信号は、電話回線網を経由して質問者Ｂの電話機本体１ｂに入力される。さらに、スピーカ信号は、電話機本体１ｂを介して情報出力装置２ｂの電話機本体接続部２０に入力される。電話機本体接続部２０に入力されたスピーカ信号は、信号線２１及び送受話器接続部２２を経由して送受話器３ｂに入力される（図５におけるＳ２２）。送受話器３ｂは、スピーカ信号を音に変換し、スピーカ等の出力装置から出力する。
【００４２】
一方、電話機本体接続部２０に入力されたスピーカ信号は、切替え部２３を経由してＤＴＭＦ信号抽出部２４に入力される。ここでは、ＤＴＭＦ信号抽出部２４は、ＤＴＭＦ信号が含まれていないので何も抽出しない（図４におけるＳ１１）。
【００４３】
制御部２７は、クリアスイッチ２９から出力される表示クリア指示されたことを示すクリア要求情報を監視している。ここでは、クリアスイッチ２９は押下されず、クリア要求情報は検出されないので（図４におけるＳ１４）、制御部２７は何もしない。
【００４４】
質問者Ｂは、送受話器３ｂを用いて再び音声により質問を行う。回答者Ａの送受話器３ａには、電話回線網を経由して、音声信号が入力され（図５におけるＳ２３）、当該音声信号が音として出力される。
【００４５】
回答者Ａは、質問に対する回答を行う。ここでは、質問者Ｂからの回答者Ａの年齢に対する回答を音声で「４０歳」と答え、さらに、電話機本体１ａのプッシュボタンを「４０」と押下することで回答したものとする。
【００４６】
質問に対する回答を示す音声信号及びＤＴＭＦ信号を含むスピーカ信号は、電話回線網を経由して質問者Ｂの電話機本体１ｂに出力される。回答者Ａからのスピーカ信号は、電話機本体１ｂを介して情報出力装置２ｂの電話機本体接続部２０に入力される。電話機本体接続部２０に入力されたスピーカ信号は、信号線２１及び送受話器接続部２２を経由して送受話器３ｂに入力される（図５におけるＳ２４）。送受話器３ｂは、スピーカ信号を音に変換してスピーカ等の出力装置から出力する。これにより、「４０歳」という音声と、プッシュボタンを「４０」と押下したＤＴＭＦ信号による音とが出力される。
【００４７】
一方、スピーカ信号は、切替え部２３を経由してＤＴＭＦ信号抽出部２４に入力される。ここでは、ＤＴＭＦ信号抽出部２４は、入力されたスピーカ信号にＤＴＭＦ信号が含まれているので、当該信号成分を抽出し（図４におけるＳ１１、図５におけるＳ２５）、抽出した信号成分を変換部２５に出力する。
【００４８】
変換部２５は、当該ＤＴＭＦ信号を、ダイヤル番号を示す情報に変換する。具体的には、例えば、ダイヤル番号と、当該ダイヤル番号を示すＤＴＭＦ信号を構成する周波数の組み合わせとのテーブルを参照して、当該ＤＴＭＦ信号を、ダイヤル番号を示す情報に変換する。次に、変換部２５は、ダイヤル番号を示す情報を記憶部２６に格納する（図４におけるＳ１２）。
【００４９】
制御部２７は、記憶部２６から、変換したダイヤル番号を示す情報を取得し、当該情報を表示部２８に出力する。表示部２８は、当該情報により示されるダイヤル番号を表示する（図４におけるＳ１３、図５におけるＳ２６）。
【００５０】
なお、本実施形態では、ＤＴＭＦ信号により示されるダイヤル番号は、プッシュボタン等が押下された順に１字ずつ表示部２８に出力されるものとする。
【００５１】
上述の例で説明すると、ＤＴＭＦ信号抽出部２４は「４」を示すＤＴＭＦ信号を抽出して変換部２５に出力する。変換部２５はＤＴＭＦ信号をダイヤル番号に変換し、当該ダイヤル番号を示す情報を記憶部２６に記憶させる。制御部２７は、記憶部２６からダイヤル番号を示す情報を読み出して、表示部２８に「４」を表示させる。
【００５２】
次に、ＤＴＭＦ信号抽出部２４は「０」を示すＤＴＭＦ信号を抽出して変換部２５に出力する。変換部２５はＤＴＭＦ信号をダイヤル番号に変換し、当該ダイヤル番号を示す情報を記憶部２６に記憶させる。制御部２７は、記憶部２６からダイヤル番号を示す情報を読み出して、表示部２８に既に表示している「４」の位置をシフトし、「４」の隣に「０」を表示させる。
【００５３】
このように、１字ずつ表示することで、質問者Ａは、回答者Ｂの押下したダイヤル番号を復唱等して回答者Ｂに１字ずつ確認することができる。また、回答者Ｂは、質問者Ａの復唱等を聞くことにより、自身がどのプッシュボタンを押下したか確認しながら入力することができる。
【００５４】
一方、制御部２７は、クリアスイッチ２９からのクリア要求情報を監視する。ここでは、質問者Ａは、上述のように表示部２８に出力された「４０」の数字を確認してからクリアスイッチ２９を押下したものとする。クリア要求情報を検出すると（図４におけるＳ１４）、制御部２７は表示部２８に信号を出力し、表示部２８の表示をクリアさせる。さらに、制御部２７は、記憶部２６内に記憶されているダイヤル番号を示す情報を消去する（図４におけるＳ１５）。
【００５５】
以上、この発明の実施形態を図面を参照して詳述してきたが、具体的な構成はこの実施形態に限られるものではなく、この発明の要旨を逸脱しない範囲の設計変更等も含まれる。
【００５６】
例えば、上述した実施形態では、情報出力装置を電話機本体と別体としたが、上述した情報出力装置の各部を電話機本体に備えてもよい。その場合、電話機本体は、電話機本体と送受話器とを接続する送受話器接続部を備え、電話機本体から送受話器に出力されたスピーカ信号は、ＤＴＭＦ信号抽出部にも入力される。ＤＴＭＦ信号抽出部は、入力されたスピーカ信号からＤＴＭＦ信号を抽出する。抽出されたＤＴＭＦ信号は、上述と同様に、電話機本体に備えられた表示部に表示される。
【００５７】
また、上述の実施形態では、ＤＴＭＦ信号が示すダイヤル番号を１字ずつ表示するものとしたが、これにかぎられるものではない。例えば、変換部は、複数のＤＴＭＦ信号を、ダイヤル番号を示す情報に変換し、記憶部に順次格納する。制御部は、記憶部に記憶されているダイヤル番号を示す情報を複数読み出し、一度に表示部に出力させてもよい。
【００５８】
また、クリアスイッチが押下されて表示部の表示がクリアされるものとしたが、これに限られるわけではない。
【００５９】
例えば、クリアスイッチが押下される前に次のＤＴＭＦ信号が入力される場合、制御部は、既に表示部に表示されているダイヤル番号をクリアさせた後に、次のＤＴＭＦ信号を表示させてもよい。
【００６０】
また例えば、制御部は、内部のタイマ等（図示略）により、表示部にダイヤル番号を表示してから特定の時間経過しても次のＤＴＭＦ信号が入力されない場合等に、表示部の表示をクリアさせてもよい。
【００６１】
また、例えば、クリアスイッチが押下される前に次のＤＴＭＦ信号が入力された場合、制御部は、表示部に既に表示されているダイヤル番号をクリアすることなく連続して出力してもよい。
【００６２】
また、上述の実施形態では、質問者が電話機本体、送受話器、情報出力装置を使用し、回答者が電話機本体及び送受話器を使用しているものとしたが、これにかぎられるわけではない。回答者が、例えば、電話機本体、送受話器、情報出力装置、又は、情報出力装置の各部を備える電話機本体を使用して回答してもよい。この場合、回答者がプッシュボタンを押下等したＤＴＭＦ信号により示すダイヤル番号を、回答者の電話機本体の表示部に出力してもよい。これを実現するために、例えば、自身の電話機のプッシュボタンを押下等することにより発生するＤＴＭＦ信号成分を含むスピーカ信号を、ＤＴＭＦ信号抽出部に入力する。ＤＴＭＦ信号抽出部は、上述と同様に、スピーカ信号からＤＴＭＦ信号を抽出し、変換部により変換されたダイヤル番号を表示部に出力する。
【００６３】
これにより、回答者は、騒がしい環境等にいて質問者がダイヤル番号を復唱するのが聞こえないような場合でも、自身が何のダイヤル番号を押下したか確認しながらプッシュボタンを押下することが可能となる。
【００６４】
また、上述した実施形態では、クリアスイッチを押下すると記憶部に記憶されたダイヤル番号を示す情報を消去するものとしたが、これに限られるわけではない。例えば、制御部は、クリア要求情報を検出すると、ダイヤル番号を示す情報を、記憶部内の、変換部により格納された領域から他の領域に移動してもよい。この場合、例えば、情報出力装置又は情報出力装置の各部を備えた電話機本体の使用者が、図示しない入力装置等を用いて要求した場合、制御部は、記憶部内の移動先の領域からダイヤル番号を示す情報を順次読み出して表示部に表示してもよい。これにより、一度表示クリアしたダイヤル番号を再度出力することができる。
【図面の簡単な説明】
【００６５】
【図１】本発明の、一実施形態における情報出力装置の構成例を示す図である。
【図２】同実施形態において、電話機の構成の一例を示す図である。
【図３】同実施形態において、切替え部の構成の一例を示す図である。
【図４】同実施形態において、情報出力装置の動作の一例を説明する図である。
【図５】同実施形態において、質問者の電話機と回答者の電話機との間で送受信される情報の一例を説明する図である。
【図６】同実施形態において、電話機の種類の例を説明する図である。
【符号の説明】
【００６６】
１：電話機本体、２：情報出力装置、３：送受話器、２０：電話機本体接続部、２１：信号線、２２：送受話器接続部、２３：切替え部、２４：ＤＴＭＦ信号抽出部、２５：変換部、２６：記憶部、２７：制御部、２８：表示部、２９：クリアスイッチ、１０１：ハンドセット型電話機、１０２：ヘッドセット型電話機
【図１】
2006074221.tif 000003
【図２】
2006074221.tif 000004
【図３】
2006074221.tif 000005
【図４】
2006074221.tif 000006
【図５】
2006074221.tif 000007
【図６】
2006074221.tif 000008